(57)【要約】【課題】検出器の検出した実物理量に基づいて演算された解析結果を、汎用性高く出力することができる信号解析装置、演算プログラム及び演算処理方法を提供する。【解決手段】信号解析装置１０は、検出器６０から検出される複数の実物理量を入力する実入力チャンネル部２１と、複数の実物理量に基づいて仮想物理量を演算する演算部２４と、演算部２４により演算された仮想物理量を内部及び／又は外部に出力する仮想出力チャンネル部２３とを備える。【選択図】図１
2008116344.tif 000002
【特許請求の範囲】
【請求項１】
検出器から検出される複数の実物理量を入力する実入力チャンネル部と、
前記複数の実物理量に基づいて仮想物理量を演算する演算部と、
前記演算部により演算された前記仮想物理量を内部及び／又は外部に出力する仮想出力チャンネル部と、
を備える信号解析装置。
【請求項２】
請求項１に記載の信号解析装置において、
前記実入力チャンネル部により入力された前記複数の実物理量を内部及び／又は外部に出力する実出力チャンネル部を備えること、
を特徴とする信号解析装置。
【請求項３】
請求項１又は請求項２に記載の信号解析装置において、
前記演算部で演算された前記仮想物理量を、前記実物理量と同期させる同期処理部を備えること、
を特徴とする信号解析装置。
【請求項４】
請求項１から請求項３までのいずれか１項に記載の信号解析装置において、
前記仮想物理量を、表示する表示部を備えること、
を特徴とする信号解析装置。
【請求項５】
請求項１から請求項４までのいずれか1項に記載の信号解析装置において、
前記仮想物理量を測定データとして当該信号解析装置の内部媒体又は外部媒体に記憶する記憶部を備えること、
を特徴とする信号解析装置。
【請求項６】
請求項１から請求項５までのいずれか1項に記載の信号解析装置において、
前記演算部が演算するための演算式を入力する演算式入力部を備えること、
を特徴とする信号解析装置。
【請求項７】
請求項１から請求項６までのいずれか１項に記載の信号解析装置において、
複数の演算式を記憶する演算式記憶部と、前記演算式記憶部に記憶された複数の演算式から、演算式を選択する演算式選択部とを備えること、
を特徴とする信号解析装置。
【請求項８】
検出器から検出される複数の実物理量を解析する信号解析装置の演算プログラムにおいて、
前記信号解析装置に、
前記複数の実物理量を入力させる実入力手順と、
前記複数の実物理量に基づいて仮想物理量を演算させる演算手順と、
演算された前記仮想物理量を内部及び／又は外部に出力させる仮想出力手順と、
を実行させる演算プログラム。
【請求項９】
請求項８に記載の演算プログラムにおいて、
前記信号解析装置に、前記実入力手順により入力された前記複数の実物理量を内部及び／又は外部に出力させる実出力手順を実行させること、
を特徴とする演算プログラム。
【請求項１０】
請求項８又は請求項９に記載の演算プログラムにおいて、
前記信号解析装置に、前記演算手順で演算された前記仮想物理量を、前記実物理量と同期させる同期処理手順を実行させること、
を特徴とする演算プログラム。
【請求項１１】
請求項８から請求項１０までのいずれか１項に記載の演算プログラムにおいて、
前記信号解析装置に、前記仮想物理量を、表示させる表示手順を実行させること、
を特徴とする演算プログラム。
【請求項１２】
請求項８から請求項１１までのいずれか1項に記載の演算プログラムにおいて、
前記信号解析装置に、前記仮想物理量を、測定データとして記憶させる記憶手順を実行させること、
を特徴とする演算プログラム。
【請求項１３】
請求項８から請求項１２までのいずれか1項に記載の演算プログラムにおいて、
前記信号解析装置に、演算式を入力させる演算式入力手順を実行させること、
を特徴とする演算プログラム。
【請求項１４】
請求項８から請求項１３までのいずれか1項に記載の演算プログラムにおいて、
前記信号解析装置に、予め記憶された複数の演算式から、演算式を選択させる演算式選択手順を実行させること、
を特徴とする演算プログラム。
【請求項１５】
検出器から検出される複数の実物理量を解析する信号解析装置の演算処理方法において、
前記複数の実物理量を入力する実入力ステップと、
前記複数の実物理量に基づいて仮想物理量を演算する演算ステップと、
演算された前記仮想物理量を内部及び／又は外部に出力する仮想出力ステップと、
を含む演算処理方法。
【請求項１６】
請求項１５に記載の演算処理方法において、
前記実入力ステップにより入力された前記複数の実物理量を内部及び／又は外部に出力する実出力ステップを含むこと、
を特徴とする演算処理方法。
【請求項１７】
請求項１５又は請求項１６に記載の演算処理方法において、
演算された前記仮想物理量を、前記実物理量と同期させる同期処理ステップを含むこと、
を特徴とする演算処理方法。
【請求項１８】
請求項１５から請求項１７までのいずれか1項に記載の演算処理方法において、
前記仮想物理量を、表示する表示ステップを含むこと、
を特徴とする演算処理方法。
【請求項１９】
請求項１５から請求項１８までのいずれか1項に記載の演算処理方法において、
前記信号解析装置に、前記仮想物理量を、測定データとして記憶する記憶ステップを含むこと、
を特徴とする演算処理方法。
【請求項２０】
請求項１５から請求項１９までのいずれか1項に記載の演算処理方法において、
前記演算ステップで演算する演算式を入力する演算式入力ステップを含むこと、
を特徴とする演算処理方法。
【請求項２１】
請求項１５から請求項２０までのいずれか1項に記載の演算処理方法において、
予め記憶された複数の演算式から、演算式を選択する演算式選択ステップを含むこと、
を特徴とする演算処理方法。
【発明の詳細な説明】
【技術分野】
【０００１】
本発明は、検出器からの検出データを解析する信号解析装置、演算プログラム及び演算処理方法に関するものである。
【背景技術】
【０００２】
従来、音圧センサなどの検出器から検出された検出信号（物理量）は、ＦＦＴ解析器などの信号解析装置に入力し、表示部にその軌跡を表示したり、検出データとして保存されたりしていた（例えば、特許文献１）。このような、信号解析装置は、特定の検出データを、表示、保存するだけでなく、１つの入力に対して特定の演算（例えば、ＦＦＴ：フーリエ解析など）を行い、その演算結果を表示、保存することもできた。
昨今では、検出結果のより高度な解析が求められ、信号解析装置にもそれに応じた解析機能が要求されている。例えば、機械の周囲に複数のマイクロホンを設置し、各マイクロホンの音圧レベル（物理量）に基づいて、音圧法などの演算手法で、機械の音響パワーレベルを求めるなどの解析機能が求められている。
【０００３】
このような解析は、複数の検出器の物理量を複雑に演算する必要があるので、従来の信号解析装置を使用した場合では、各物理量を測定した後に、その物理量を専用の解析ソフトなどに取り込んで解析結果を演算させる必要があった。そのために、演算した解析結果は、物理量として扱うことができないものであった。すなわち、この解析結果は、単に、表示部に表示させられて、その内容を確認されるだけのものであり、更なる解析などの後処理に適用することができず、汎用性が低いものであった。また、解析結果の演算が、物理量の測定後になされていたので、解析結果の算出までの手間と所要時間が大きくなり、さらに、解析結果を見るまで測定の成否が判断できない場合などにおいては、測定失敗が判明した時点で、再度、測定を行わなくてはならないなどの手間が増える問題もあった。
【特許文献１】特開２００２−１４８２８３号公報
【発明の開示】
【発明が解決しようとする課題】
【０００４】
本発明の課題は、検出器の検出した物理量に基づいて演算された解析結果を、汎用性高く出力することができる信号解析装置、演算プログラム及び演算処理方法を提供することである。
【課題を解決するための手段】
【０００５】
本発明は、以下のような解決手段により、前記課題を解決する。なお、理解を容易にするために、本発明の実施例に対応する符号を括弧内に付して説明するが、これに限定されるものではない。
請求項１の発明は、検出器（６０）から検出される複数の実物理量を入力する実入力チャンネル部（２１）と、前記複数の実物理量に基づいて仮想物理量を演算する演算部（２４）と、前記演算部（２４）により演算された前記仮想物理量を内部及び／又は外部に出力する仮想出力チャンネル部（２３）とを備える信号解析装置（１０）である。
請求項２の発明は、請求項１に記載の信号解析装置（１０）において、前記実入力チャンネル部（２１）により入力された前記複数の実物理量を内部及び／又は外部に出力する実出力チャンネル部（２２）を備えることを特徴とする信号解析装置（１０）である。
請求項３の発明は、請求項１又は請求項２に記載の信号解析装置（１０）において、前記演算部（２４）で演算された前記仮想物理量を、前記実物理量と同期させる同期処理部（２５）を備えることを特徴とする信号解析装置（１０）である。
請求項４の発明は、請求項１から請求項３までのいずれか１項に記載の信号解析装置（
１０）において、前記仮想物理量を、表示する表示部（３０）を備えることを特徴とする信号解析装置（１０）である。
請求項５の発明は、請求項１から請求項４までのいずれか1項に記載の信号解析装置（
１０）において、前記仮想物理量を測定データとして当該信号解析装置の内部媒体又は外部媒体に記憶する記憶部（４０）を備えることを特徴とする信号解析装置（１０）である。
請求項６の発明は、請求項１から請求項５までのいずれか1項に記載の信号解析装置（
１０）において、前記演算部（２４）が演算するための演算式を入力する演算式入力部（２４−１）を備えることを特徴とする信号解析装置（１０）である。
請求項７の発明は、請求項１から請求項６までのいずれか１項に記載の信号解析装置（１０）において、複数の演算式を記憶する演算式記憶部（２４−２）と、前記演算式記憶部（２４−２）に記憶された複数の演算式から、演算式を選択する演算式選択部（２４−３）とを備えることを特徴とする信号解析装置（１０）である。
【０００６】
請求項８の発明は、検出器（６０）から検出される複数の実物理量を解析する信号解析装置（１０−２）の演算プログラムにおいて、前記信号解析装置（１０−２）に、前記複数の実物理量を入力させる実入力手順（Ｓ１０３）と、前記複数の実物理量に基づいて仮想物理量を演算させる演算手順（Ｓ１０４）と、演算された前記仮想物理量を内部及び／又は外部に出力させる仮想出力手順（Ｓ１０６）とを実行させる演算プログラムである。
請求項９の発明は、請求項８に記載の演算プログラムにおいて、前記信号解析装置（１０−２）に、前記実入力手順（Ｓ１０３）により入力された前記複数の実物理量を内部及び／又は外部に出力させる実出力手順（Ｓ１０６）を実行させることを特徴とする演算プログラムである。
請求項１０の発明は、請求項８又は請求項９に記載の演算プログラムにおいて、前記信号解析装置（１０−２）に、前記演算手順（Ｓ１０４）で演算された前記仮想物理量を、前記実物理量と同期させる同期処理手順（Ｓ１０５）を実行させることを特徴とする演算プログラムである。
請求項１１の発明は、請求項８から請求項１０までのいずれか１項に記載の演算プログラムにおいて、前記信号解析装置（１０−２）に、前記仮想物理量を、表示させる表示手順（Ｓ１０７）を実行させることを特徴とする演算プログラムである。
請求項１２の発明は、請求項８から請求項１１までのいずれか1項に記載の演算プログ
ラムにおいて、前記信号解析装置（１０−２）に、前記仮想物理量を、測定データとして記憶させる記憶手順（Ｓ１０７）を実行させることを特徴とする演算プログラムである。
請求項１３の発明は、請求項８から請求項１２までのいずれか1項に記載の演算プログ
ラムにおいて、前記信号解析装置（１０−２）に、演算式を入力させる演算式入力手順（Ｓ２０２）を実行させることを特徴とする演算プログラムである。
請求項１４の発明は、請求項８から請求項１３までのいずれか1項に記載の演算プログ
ラムにおいて、前記信号解析装置（１０−２）に、予め記憶された複数の演算式から、所定の演算式を選択させる演算式選択手順（Ｓ１０２）を実行させることを特徴とする演算プログラムである。
【０００７】
請求項１５の発明は、検出器（６０）から検出される複数の実物理量を解析する信号解析装置（１０）の演算処理方法において、前記複数の実物理量を入力する実入力ステップ（Ｓ１０３）と、前記複数の実物理量に基づいて仮想物理量を演算する演算ステップ（Ｓ１０４）と、演算された前記仮想物理量を内部及び／又は外部に出力する仮想出力ステップ（Ｓ１０６）とを含む演算処理方法である。
請求項１６の発明は、請求項１５に記載の演算処理方法において、前記実入力ステップ（Ｓ１０３）により入力された前記複数の実物理量を内部及び／又は外部に出力する実出力ステップ（Ｓ１０６）を含むことを特徴とする演算処理方法である。
請求項１７の発明は、請求項１５又は請求項１６に記載の演算処理方法において、演算
された前記仮想物理量を、前記実物理量と同期させる同期処理ステップ（Ｓ１０５）を含むことを特徴とする演算処理方法である。
請求項１８の発明は、請求項１５から請求項１７までのいずれか１項に記載の演算処理方法において、前記仮想物理量を、表示する表示ステップ（Ｓ１０７）を含むことを特徴とする演算処理方法である。
請求項１９の発明は、請求項１５から請求項１８までのいずれか1項に記載の演算処理
方法において、前記信号解析装置（１０）に、前記仮想物理量を、測定データとして記憶する記憶ステップ（Ｓ１０７）を含むことを特徴とする演算処理方法である。
請求項２０の発明は、請求項１５から請求項１９までのいずれか1項に記載の演算処理
方法において、前記演算ステップ（Ｓ１０４）で演算する演算式を入力する演算式入力ステップ（Ｓ２０２）を含むことを特徴とする演算処理方法である。
請求項２１の発明は、請求項１５から請求項２０までのいずれか1項に記載の演算処理
方法において、予め記憶された複数の演算式から、演算式を選択する演算式選択ステップ（Ｓ１０２）を含むことを特徴とする演算処理方法である。
【発明の効果】
【０００８】
本発明によれば、以下のような効果がある。
（１）信号解析装置は、入力された複数の実物理量に基づいて、仮想物理量を演算するので、解析結果などの仮想物理量を、汎用性の高いデータとして出力することができ、データの後処理に幅広く用いることができる。
（２）信号解析装置は、実物理量を内部及び／又は外部に出力するので、実物理量を汎用性の高いデータとして出力することができ、仮想物理量とともにデータの後処理に幅広く活用することができる。
【０００９】
（３）実物理量と仮想物理量とを同期させているので、信号解析装置の内部及び／又は外部に、実物理量及び仮想物理量を同期させて出力させることができ、両者の後処理を正確にすることができる。
（４）信号解析装置は、演算した仮想物理量を表示することができるので、仮想物理量を視覚的に、容易に確認することができる。
【００１０】
（５）信号解析装置は、演算した仮想物理量を記憶することができるので、仮想物理量を測定データとして保存させることができる。
（６）信号解析装置は、演算式を入力することができるので、仮想物理量の演算を多彩に設定することができる。
（７）信号解析装置は、複数の演算式を記憶することができ、また、そこから演算式を選択することができるので、解析内容に応じて、適切な演算式を選択することができる。
【発明を実施するための最良の形態】
【００１１】
本発明は、検出器の検出した物理量に基づいて演算された解析結果を、汎用性高く出力することができる信号解析装置、演算プログラム及び演算処理方法を提供するという目的を、複数の実物理量に基づいて演算部で演算した仮想物理量を、仮想出力チャンネル部から出力することにより実現する。
【実施例１】
【００１２】
以下、図面等を参照して、本発明の実施例をあげて、さらに詳しく説明する。
図１は、本発明による信号解析装置の実施例１を示す図である。図２は、信号解析装置の表示部に表示される音圧レベル及び音響パワーレベルを示す図である。
信号解析装置１０は、図１に示すように、信号処理部２０、表示部３０、記憶部４０及び操作入力部５０を有しており、信号処理部２０に入力された入力信号（実物理量）を解析する装置である。本実施例では、機械１００の周辺の４箇所に配置されたマイクロホン
６０が信号処理部２０に接続され、そのマイクロホン６０から入力された音圧レベル（実物理量）に基づいて、機械１００の発する音響パワーレベル（仮想物理量）を演算する場合を例に挙げて説明する。
信号処理部２０は、実入力チャンネル部２１、実出力チャンネル部２２、仮想出力チャンネル部２３、演算部２４及び同期処理部２５を有している。
【００１３】
実入力チャンネル部２１は、マイクロホン６０で検出した４つの音圧レベルを信号解析装置１０の信号処理部２０に取り込む入力部である。
実出力チャンネル部２２は、実入力チャンネル部２１で取り込んだ音圧レベルを表示部３０及び記憶部４０へと出力する出力部である。
仮想出力チャンネル部２３は、後述の演算部２４で演算された音響パワーレベルを表示部３０及び記憶部４０へと出力する出力部である。
演算部２４は、演算式入力処理部２４−１、演算式記憶部２４−２及び演算式選択部２４−３を備えた演算回路である。
【００１４】
演算式入力処理部２４−１は、操作入力部５０で入力された解析に用いる特定の演算式を、演算部２４に入力処理させる回路である。本実施例では、後述の式１が入力される。
演算式記憶部２４−２は、演算式入力処理部２４−１で入力された演算式を記憶する内部メモリであり、複数の演算式を記憶することができる。また、使用頻度の高い演算式などは、予め演算式記憶部２４−２に保存されている。
演算式選択部２４−３は、演算式記憶部２４−２に記憶された複数の演算式から、使用者が操作入力部５０を用いて、解析内容に応じた適切な演算式を選択する回路である。
同期処理部２５は、マイクロホン６０の４つの音圧レベルと、演算部２４で演算した音響パワーレベルとを入力し、両者の時間的な関係を一致（同期）させて、表示部３０及び記憶部４０へと出力する信号処理回路である。具体的には、入力した音圧レベルと、その入力した時点の音圧レベルで演算された音響パワーレベルとを同時に出力させる。
信号処理部２０の演算部２４は、実入力チャンネル部２１から入力された４つの音圧レベルに基づいて音響パワーレベルを演算し、仮想出力チャンネル部２３へと出力する。なお、音響パワーレベルの演算は、音圧法を用いており、以下に示す式１に基づいて演算される。
【００１５】
【数１】
2008116344.tif 000003
【００１６】
ここで、式１の各変数は、Ｌwが音響パワーレベル［ｄＢ］、Ｌpiがｉ番目のマイクロ
ホン６０の音圧レベル［ｄＢ］（ｉは１〜Ｎ）、Ｎがマイクロホン６０の数（本実施例では４）、Ｓ1が測定面の面積［ｍ2］、Ｓ0が基準面積（＝１［ｍ2］）、Ｃが温度及び大気圧の影響についての補正項である。なお、演算部２４は、高速な演算処理機能を備えており、マイクロホン６０の音圧レベルの入力とほぼ同時に、音響パワーレベルの演算処理を終えることができ、４つの音圧レベルと演算した音響パワーレベルとを、ほぼリアルタイムに表示部３０に表示することができる。
【００１７】
表示部３０は、信号処理部２０から出力された４つの音圧レベル及び音響パワーレベルを、視覚的に表示するディスプレイである。
記憶部４０は、信号処理部２０から出力された４つの音圧レベル及び音響パワーレベルを、測定データとして記憶するメモリである。なお、記憶部４０は、信号解析装置１０の内部に設けられたハードディスクなどのメモリだけでなく、ＣＤ、メモリカードなどの記
憶媒体に記憶してもよいし、通信ケーブルなどにより外部から接続される外部メモリなどであってもよい。
操作入力部５０は、複数のボタンで構成されたキーボードであり、測定の各操作の指令や、演算式の入力などに使用する。
マイクロホン６０は、音圧レベルを実物理量として検出し、その検出信号を信号解析装置１０へ出力する音圧計である。本実施例では、機械１００の周囲に４箇所設けられ、信号解析装置１０の実入力チャンネル部２１に接続されている。
機械１００は、マイクロホン６０による音圧レベルの測定対象である。
【００１８】
次に、マイクロホン６０による音圧レベルの測定における信号解析装置１０の動作について説明する。
マイクロホン６０が、図１に示すように、機械１００の周囲に適切に配置され、信号解析装置１０の実入力チャンネル部２１に接続されたら、作業者は、信号解析装置１０及びマイクロホン６０の電源を投入する。次に、解析に必要な演算式（式１）が操作入力部５０で入力されたら、演算式入力処理部２４−１でその演算式を演算部２４に入力し（演算式入力ステップ）、演算式記憶部２４−２で記憶させて、演算式選択部２４−３で入力した演算式（式１）を操作入力部５０で選択する（演算式選択ステップ）。仮に、複数の演算式が予め演算式記憶部２４−２に保存されている場合は、入力せずに、その中から適切な演算式を選択することも可能である。
【００１９】
解析に用いる演算式が適正に選択され、測定開始が作業者により指示されたら、信号解析装置１０の信号処理部２０は、マイクロホン６０で検出された４つの音圧レベルを入力する（実入力ステップ）。信号処理部２０の演算部２４は、４つの実物理量である音圧レベルと、演算式選択部２４−３で選択された演算式（式１）とに基づいて、仮想物理量である音響パワーレベルを演算する（演算ステップ）。
続いて、信号解析装置１０の信号処理部２０は、入力された各音圧レベルと演算された音響パワーレベルとを同期処理部２５に入力し、それらのデータを同期させて（同期処理ステップ）、それぞれを実出力チャンネル部２２及び仮想出力チャンネル部２３から表示部３０及び記憶部４０へと出力する（仮想出力ステップ及び実出力ステップ）。
【００２０】
実出力チャンネル部２２及び仮想出力チャンネル部２３から出力された各音圧レベルと音響パワーレベルとは、マイクロホン６０からの音圧レベルの入力とほぼ同時に、図２に示すように、表示部３０に表示される（表示ステップ）。また、それと同時に、測定した各データが、記憶部４０へと随時、書き込まれる（記憶ステップ）。
音圧レベルの測定中は、表示部３０に各音圧レベル（図２（Ａ）〜（Ｄ））及び音響パワーレベル（図２（Ｅ））がリアルタイムに表示されるので、作業者は、常時、各音圧レベル及び音響パワーレベルを確認しながら測定を続けることができる。音響パワーレベルが仮想物理量として得られ、その結果がリアルタイムに表示されることにより、測定の不備などを即座に発見することができ、再測定などの時間的な浪費を最小限にすることができる。
【００２１】
以上より、実施例１の信号解析装置には以下のような効果がある。
（１）信号解析装置１０は、実入力チャンネル部２１から入力された４つの音圧レベルに基づいて、演算部２４により音響パワーレベルを演算するので、従来、専用の解析ソフトなどに取り込んで演算させ、物理量として扱うことができなかった音響パワーレベルを、汎用性を向上させた仮想物理量として出力することができ、データの表示部３０及び記憶部４０などの後処理に幅広く用いることができる。また、表示部３０に、解析機能を持たせることなく、汎用の表示機能を用いることができる。更に、特定の演算だけでなく、演算記憶部２４−２に入力又は予め保存された複数の演算式に応じて演算した解析結果を、仮想物理量として出力することができる。
（２）信号解析装置１０は、音圧レベルを出力する実出力チャンネル部２２を備えているので、仮想物理量である音響パワーレベルとともに実物理量である音圧レベルを、後処理である表示部３０及び記憶部４０に出力することができる。
【００２２】
（３）信号解析装置１０は、音圧レベルと音響パワーレベルとを同期させる同期処理部２５を備えているので、信号解析装置１０の表示部３０及び記憶部４０に、同期した音圧レベル及び音響パワーレベルを出力することができ、両者の比較などの検討を正確にすることができる。
（４）信号解析装置１０は、表示部３０を備えているので、音圧レベル及び演算した音響パワーレベルを視覚的に、容易に確認することができる。
【００２３】
（５）信号解析装置１０は、記憶部４０を備えているので、音圧レベル及び演算した音響パワーレベルを容易に保存させることができる。
（６）演算部２４は、演算式を演算部２４に入力する演算式入力処理部２４−１を備えているので、演算内容を多彩に設定することができる。
（７）演算部２４は、複数の演算式を記憶する演算式記憶部２４−２と、所定の演算式を演算式記憶部２４−２から選択する演算式選択部２４−３とを備えているので、解析内容に応じて、適切な演算式を選択することができる。
【実施例２】
【００２４】
図３は、本発明による信号解析装置の実施例２を示す図である。また、図４は、実施例２の測定用ＰＣの測定時の動作フローを示す図であり、図５は、測定用ＰＣの演算式入力手順のフローを示す図である。なお、実施例２の説明では、前述した実施例１と同様な機能を果たす部分には、同一の符号又は末尾に統一した符号を付して、重複する説明や図面を適宜省略する。
測定用ＰＣ１０−２は、図３に示すように、ＣＰＵ部２０−２、表示部３０−２、記憶部４０−２及び操作入力部５０−２を備えたパーソナルコンピュータである。また、測定用ＰＣ１０−２は、信号処理手順、表示手順及び記憶手順を測定用ＰＣ１０−２に実行させる演算プログラムが、記憶部４０−２にインストールされており、実施例１の信号解析装置１０と同様の測定及び解析の機能を有している。ここで、信号処理手順は、実入力手順、実出力手順、仮想出力手順、演算手順及び同期処理手順を備えており、実施例１の信号処理部２０と同様の機能を測定用ＰＣ１０−２に実行させるプログラムである。また、同様に、演算手順は、演算式入力手順及び演算式選択手順を備えており、実施例１の演算部２４と同様の機能を有したプログラムである。
【００２５】
本実施例においても、実施例１と同様に、機械１００の周辺の４箇所に配置されたマイクロホン６０から入力された音圧レベル（実物理量）に基づいて、機械１００の発する音響パワーレベル（仮想物理量）を演算する場合を例に挙げて説明する。
ＣＰＵ部２０−２は、測定用ＰＣ１０−２の各部を統括制御する演算回路であり、記憶部４０−２にインストールされた演算プログラムを実行する。
表示部３０−２は、測定用ＰＣ１０−２の操作内容などを表示するディスプレイであり、測定した音圧レベルや音響パワーレベルなども表示する。
記憶部４０−２は、測定用ＰＣ１０−２の内部に設けられたハードディスクであり、解析に用いられる演算式や、測定した測定データを保存する。
操作入力部５０−２は、複数のボタンで構成されたキーボードであり、測定の各操作の指令や、演算式の入力などに使用する。
【００２６】
次に、マイクロホン６０による音圧レベルの測定における測定用ＰＣ１０−２の動作について説明する。
測定用ＰＣ１０−２は、図４に示すように、作業者により測定開始の指示が入力された
ら（Ｓ１０１）、既存の演算式リストを表示部３０−２に表示し、操作入力部５０−２で作業者に特定の演算式を選択させる（Ｓ１０２、演算式選択手順）。
仮に、新規に演算式をする場合は（Ｓ２０１）、測定用ＰＣ１０−２は、図５に示すように、演算式の入力画像を表示部３０−２に表示して、操作入力部５０−２で作業者に演算式（式１）を入力させる（Ｓ２０２、演算式入力手順）。適正に演算式（式１）が入力されたら、記憶部４０−２に演算式（式１）を保存して（Ｓ２０３）、演算式入力作業を完了する（Ｓ２０４）。演算式の入力が完了したら、作業者により、その演算式（式１）を選択させる（図３・Ｓ１０２、演算式選択手順）。
【００２７】
演算式が適正に選択されたら、図４に示すように、マイクロホン６０から検出された音圧レベルを入力し（Ｓ１０３、実入力手順）、入力した音圧レベルに基づいて音響パワーレベルを演算する（Ｓ１０４、演算手順）。続いて、入力した音圧レベルと、演算された音響パワーレベルとを同期させて（Ｓ１０５、同期処理手順）、それぞれを測定用ＰＣ１０−２の表示部３０−２及び記憶部４０−２へと出力する（Ｓ１０６、実出力手順及び仮想出力手順）。
音圧レベル及び音響パワーレベルを入力した表示部３０−２は、リアルタイムで測定結果を表示し（図２参照）、また、同時に記憶部４０−２は、それぞれを測定データとして随時、保存する（Ｓ１０７、表示手段及び記憶手段）。必要な測定データが測定されたら、測定終了となる（Ｓ１０８）。
【００２８】
以上より、本実施例の測定用ＰＣ１０−２にインストールされた信号処理手順、表示手順及び記憶手順は、実物理量である音圧レベルの測定及び仮想物理量である音響パワーレベルの演算と、音圧レベル及び音響パワーレベルの表示及び保存とを、測定用ＰＣ１０−２に実行させる演算プログラムであるので、汎用のパーソナルコンピュータに、演算プログラムをインストールすることで、容易に測定装置の準備をすることができる。
【００２９】
（変形例）
以上、説明した実施例に限定されることなく、種々の変形や変更が可能であり、それらの発明も均等の範囲内である。
（１）各実施例では、信号解析装置１０（測定用ＰＣ１０−２）は、信号処理部２０（信号処理手順）、表示部３０（表示手順）、記憶部４０（記憶手順）を全て１つにまとめて構成したが、それ以外の形態で構成してもよい。例えば、信号処理部２０のみを装置にして、表示手順及び記憶手順をプログラムにしてＰＣで起動させたり、信号処理手順のみをプログラムにしてＰＣで起動させ、表示部３０及び記憶部４０を装置にしたり、信号処理手順を第１のプログラムにして第１のＰＣで起動させ、表示手順及び記憶手順を第２のプログラムにして第２のＰＣで起動させたりするなど、多彩な形態を取ることも可能である。
（２）各実施例では、信号解析装置１０（測定用ＰＣ１０−２）は、音響パワーレベルを演算させたが、それ以外の解析に用いてもよい。例えば、トラッキング解析などの複雑な解析や、複数の実物理量の平均値を求めるなどの演算に使用することも可能である。
（３）各実施例では、実出力チャンネル部２２（実出力手順）及び仮想出力チャンネル部２３（仮想出力手順）は、音圧レベル及び音響パワーレベルを信号解析装置１０（測定用ＰＣ１０−２）内の表示部３０（表示手順）及び記憶部４０（記憶手順）に出力していたが、信号解析装置１０（測定用ＰＣ１０−２）の外部、又は、内部及び外部に出力してもよい。
【図面の簡単な説明】
【００３０】
【図１】本発明による信号解析装置の実施例１を示す図である。
【図２】本発明の信号解析装置の表示部に表示される検出データ及び解析結果を示す図である。
【図３】本発明による信号解析装置の実施例２を示す図である。
【図４】本発明による測定用ＰＣの測定時の動作フローを示す図である。
【図５】本発明による測定用ＰＣの演算式入力手順のフローを示す図である。
【符号の説明】
【００３１】
１０  信号解析装置
２０  信号処理部
２１  実入力チャンネル部
２３  仮想出力チャンネル部
２４  演算部
６０  マイクロホン
【図１】
2008116344.tif 000004
【図２】
2008116344.tif 000005
【図３】
2008116344.tif 000006
【図４】
2008116344.tif 000007
【図５】
2008116344.tif 000008